(57)【要約】      （修正有）【課題】低湿・低温冷蔵庫による最適貯蔵湿度・温度を併せた独立庫内を有する貯蔵庫の提供。【解決手段】冷蔵庫の冷却作用をファンによる誘導で低湿低温室の外周に誘導することにより、間接冷却いわゆるケ−ス外側から庫内を冷却し、中間的温度、即ち１０〜２０℃程度にする温度制御を行うため、別個に冷却機構を必要としない。また冷却機能とは別個の独立した自動除湿装置を庫内の一端に設けて湿度制御も行うようにした低湿低温冷蔵庫。【選択図】図２
2005300125.tif 000002
【特許請求の範囲】
【請求項１】
冷蔵庫の冷却作用を利用して、低湿庫構成ケースの周辺に冷却風量による間接式冷却を行いかつ、この構成ケースの一端に自動除湿装置を付加した低湿低温庫を備えた低湿低温冷蔵庫
【請求項２】
請求項１の温度制御は低湿庫ケースへの冷却ファンの回転制御により行い、庫内の湿度は自動除湿装置により行い、それぞれ独立して制御した低湿低温冷蔵庫
【発明の詳細な説明】
【発明の詳細な説明】
【技術分野】
【０００１】  この発明は家庭用・業務用冷蔵庫の庫内温度及び湿度をそれぞれ独立して制御し、低温度かつ低湿度機能を付加することにより、適正な収納品の保管条件を確立した冷蔵庫の分野に属するものである。
【背景技術】
【０００２】  従来の冷蔵庫は圧縮機、凝縮器からキャピラリチューブを介して冷却（蒸発）器における冷媒（フレオン等）の蒸発潜熱により冷却し、この冷却効果（蒸発熱）を直接庫内空気の冷却に用いる直冷式とこの冷却効果をファンにより、庫内を循環して冷却する間冷（間接）式に分類される。【０００３】  それら冷却器形状及びファン風量により庫内温度を約−１８℃の冷凍室、０〜５℃の冷蔵室、その中に密閉容器で構成する野菜室等で構成されている。【０００４】  ここにおいて冷蔵室（０〜５℃）の場合冷却器による低温下で蒸発器表面に水分が霜の形で着霜し、庫内空気の水分をとることにより絶対湿度（単位容積中の水分量）は低下されるが、庫内湿度は４０〜８０％が一般的である。
この要因は冷却効果を持続するため冷却器表面の着霜を一定時間毎に除霜する必要があり、この除霜時に庫内湿度を急激に上昇させるためである。
【発明が解決しようとする課題】
【０００５】  前記のように通常の冷蔵保管品においては冷蔵庫内の高湿（相対湿度）による影響と絶対湿度の低下による影響を受ける。結果として野菜等の乾燥（水分低下）また乾燥した干し海のり・粉末の固化は日常よく経験するところである。
【０００６】  最適貯蔵条件は勿論収納品毎に異なるが、現在問題とされ、かつ本発明が解決する課題としては低温（１０〜２０℃）でかつ湿度４０％以下により長期可食分期間を必要とする食品例としては、お茶・紅茶・コーヒー等の乾燥茶葉、漢方薬剤全般、各種スパイス、乾燥粉末調理素材として、小麦粉・パン粉・片栗粉から各種ミックス粉末品、また各種乾麺や、乾物等食品として長期乾燥保存食品類。
このような食品から工業用薬品・医薬用・バイオ等極めて多岐に利用可能である。
【課題を解決するための手段】
【０００７】  前記の課題を解決する手段と機能は次の通りである。
【０００８】  まず冷蔵庫の冷却作用をファンによる誘導で低湿低温室の外周に誘導することにより、間接冷却いわゆるケース外側から庫内を冷却する。この温度制御は低湿室内に設置する温度制御器・循環風量のファンにより制御して適正・設定温度を保持する。
【０００９】  この低湿低温庫には冷却機能とは別個の独立した自動除湿装置を庫内の一端に設けたものである。この除湿装置には乾燥剤を定時間毎に自動的（タイマー制御等）に加熱再生し、乾燥剤の吸着水分を庫外に排出する全自動乾燥装置を用いる。勿論他の除湿方式としてペルチェ効果を利用した電子冷却方式の除湿装置や、固体高分子電解質膜を利用し、空気中の水分を電気分解する方式がある。
【発明を実施するための最良の形態】
【００１０】  次に、図面に基づいてこの発明の実施の形態について説明する。
図１は、低湿低温冷蔵庫の正面図、図２は低温低湿冷蔵庫の側断面図、図３は図２における自動除湿装置１４の側断面図である。【００１１】  １．構成
（１）全体構成
図１、図２に示す如く冷蔵庫の基本構成として、キャビネット１に扉が付加され、上部が低湿低温庫の扉５、中央部が冷蔵室の扉６、下部が冷凍室の扉７で構成されている。【００１２】  （２）一部分構成
冷却機構は図２の側断面図に示す如く、下部に圧縮機８、高温冷媒を凝縮する凝縮器９を経て冷却（蒸発）器１０及び１１で構成されている。それらを連結する冷却配管は省略。【００１３】  各庫内への冷却風の送風は冷凍室４には冷却ファン１２により、冷蔵室には冷蔵室ファン１９により行い、更に上部に低湿低温室２への冷却ファン１３があり、これは低湿低温室２の自動温度調節器１８により制御される。このファン１３により低湿低温室２の外周を冷却風が循環する如く構成し、この低湿低温室２内の温度を１０〜２０℃程度（用途により設定温度は変更）に調節する。【００１４】  更にこの低湿低温室２の一部に自動除湿装置１４を装着し、この低湿低温室２の相対湿度を通常４０％以下に保つ。即ち、冷却機構と除湿機構とはそれぞれ独立をして構成されていることに本発明の特徴がある。【００１５】  図３に示すように自動除湿装置１４は、ケース２０に開口部１５，１６，２１，２２を有している。ケース２０の中心部に乾燥剤を収納した乾燥箱２３が固定され、乾燥箱２３内の中心部付近に加熱体２４が設けれれている。上シャッター２５、下シャッター２６の庫内側Ａに形状記憶合金コイルバネ２７、庫外側Ｂにバイアスコイルバネ２８を固定している。【００１６】  ここで動作について説明すると通常はバイアスコイルバネ２８の引張力が形状記憶合金コイルバネ２７より強く、開口部１５、１６は上シャッター２５、下シャッター２６により閉じられている。従って開口部２１、２２が開いて、ケース２０内は通気状態となり、庫内側Ａの空気中の水蒸気を吸湿し、庫内側Ａの湿度は低下する。【００１７】  ここで加熱体２４に通電し温度が上がると形状記憶合金コイルバネ２７はその熱で縮む。従って今度は開口部２１、２２が閉じられ、開口部１５、１６が開く。乾燥剤は加熱体２４の熱によって温度上昇し、吸湿した水分を蒸気として開口部１５，１６から庫外側Ｂに放出する。所定の時間になると加熱体２４は通電を停止するようになっているので、開口部２１，２２が開き、再び乾燥剤は庫内側Ａの水蒸気を吸湿し湿度を下げる。
【発明の効果】
【００１８】  本発明の特徴としての作用は冷蔵庫の冷却能力を利用して、低湿室を中間的温度、即ち１０〜２０℃程度に冷却することにより、別個に冷却機構を必要としないため合理的かつ経済的（ローコスト）でその目的を達成できる。
【００１９】  従来の冷却機構で低湿化するには除霜時の急速かつ高湿度（約８０〜９０％）に庫内湿度が上昇することが避け難かった。
【００２０】  本発明はそれらに冷却作用の空気で独立した低湿室外周からの低温作用により、除霜時の高湿化を除去した。
【００２１】  また、庫内湿度の保持もそれら冷却機構の空気と独立した低湿低温室２により、常時低湿度環境を保持する。このため収納品は常に安定した低温低湿の環境で長期最適条件の保管を達成できるものである。
【００２２】  最適保存品目としては
【０００６】項のほか、産業用・工業用の部品・材料等極めて多岐にわたり最適保存条件を確保できるものである。
【図面の簡単な説明】
【００２３】
【図１】実施の形態の低湿低温冷蔵庫の正面図
【図２】図１の側断面図
【図３】図２における自動除湿装置１４の側断面図
【符号の説明】
１：キャビネット
２：低湿低温室
３：冷蔵室
４：冷凍室
５：低湿低温庫の扉
６：冷蔵庫の扉
７：冷凍庫の扉
８：圧縮機
９：凝縮器
１０：冷却（蒸発）器の冷凍室
１１：冷却（蒸発）器の冷蔵室
１２：冷却ファン
１３：冷却ファン
１４：自動除湿装置
１５：開口部
１６：開口部
１７：断熱材
１８：自動温度調節器
１９：冷蔵室ファン
２０：ケース
２１：開口部
２２：開口部
２３：乾燥箱
２４：加熱体
２５：上シャッター
２６：下シャッター
２７：形状記憶合金コイルバネ
２８：バイアスコイルバネ
【図１】
2005300125.tif 000003
【図２】
2005300125.tif 000004
【図３】
2005300125.tif 000005